(57)【要約】【課題】既設の設置品を流用し、比較的短い工期で、かつ安価にリニューアルすることができるエレベータのリニューアル方法の提供。【解決手段】乗かご６とつり合いおもり８を主索によって連結し、この主索を巻き掛ける巻上機、及びこの巻上機の制御装置を昇降路２の上部の機械室１に配置し、１：１ローピングとしたエレベータにあって、制御装置及び巻上機を更新するエレベータのリニューアル方法において、既設制御装置２２を機械室１から撤去し、新規制御装置１２を機械室１に設置するとともに、既設巻上機１８、既設トラクションシーブ１９及び既設主索３０は、乗かご６及びつり合いおもり８の懸垂用として流用し、既設巻上機１８よりも形状寸法の小さい新規小型巻上機１０を取り付け、この新規小型巻上機１０及び新規主索５を駆動用として用い、１：１ローピングを維持させるようにした。【選択図】図１
2010275089.tif 000002
【特許請求の範囲】
【請求項１】
昇降路にガイドレールを立設し、このガイドレールに沿ってそれぞれ案内される乗かごとつり合いおもりを主索によって連結し、この主索を巻き掛ける巻上機、及びこの巻上機の制御装置を上記昇降路の上部の機械室に配置し、１：１ローピングとしたエレベータにあって、上記制御装置及び上記巻上機を更新するエレベータのリニューアル方法において、
既設制御装置を上記機械室から撤去し、新規制御装置を上記機械室に設置するとともに、上記既設巻上機、既設トラクションシーブ及び既設主索は、上記乗かご及び上記つり合いおもりの懸垂用として流用し、上記既設巻上機よりも形状寸法の小さい新規小型巻上機を上記機械室に配置し、上記新規小型巻上機、及び上記乗かごと上記つり合いおもりに連結される新規主索を駆動用として用い、上記１：１ローピングを維持させたことを特徴とするエレベータのリニューアル方法。
【請求項２】
請求項１に記載のエレベータのリニューアル方法において、
上記新規主索は、上記既設主索に対して上記既設巻上機の軸方向に多少ずらした位置に設けることを特徴とするエレベータのリニューアル方法。
【請求項３】
請求項１または２に記載のエレベータのリニューアル方法において、
上記新規小型巻上機は、上記既設巻上機のベース上に取り付けることを特徴とするエレベータのリニューアル方法。
【請求項４】
請求項１から３のいずれか１項に記載のエレベータのリニューアル方法において、
上記既設巻上機のブレーキを流用し、ブレーキを二重化したことを特徴とするエレベータのリニューアル方法。
【発明の詳細な説明】
【技術分野】
【０００１】
本発明は、機械室に配置された制御装置及び巻上機を更新するエレベータのリニューアル方法に関する。
【背景技術】
【０００２】
従来、制御装置及び巻上機を更新するエレベータのリニューアルとしては、エレベータの機械室に設置された既設制御装置と新規制御装置とを入れ替えるとともに、既設巻上機と同型の新規巻上機を入れ替える方法が行われている。巻上機は機械室を広く占有するため、リニューアル時は、巻上機を機械室出入口を通る大きさに解体し、搬出搬入する必要がある。このために、従来は多大な労力と工期、コストがかかっていた。このようなことから、既設巻上機を分解せず、小型巻上機を新規に設置することが特許文献１に提案されている。
【先行技術文献】
【特許文献】
【０００３】
【特許文献１】特開２００８−３０８８５号公報
【発明の概要】
【発明が解決しようとする課題】
【０００４】
しかしながら、上述した特許文献１に示される従来技術では、ローピングを２：１に変更する大掛かりな改造が必要になる。このために、多大な工期が掛かるとともに、リニューアルコストが高くなる問題がある。
【０００５】
本発明は、上述した従来技術における実状からなされたもので、その目的は、既設の設置品を流用し、比較的短い工期で、かつ安価にリニューアルすることができるエレベータのリニューアル方法を提供することにある。
【課題を解決するための手段】
【０００６】
上記目的を達成するために、本発明に係るエレベータのリニューアル方法は、昇降路にガイドレールを立設し、このガイドレールに沿ってそれぞれ案内される乗かごとつり合いおもりを主索によって連結し、この主索を巻き掛ける巻上機、及びこの巻上機の制御装置を上記昇降路の上部の機械室に配置し、１：１ローピングとしたエレベータにあって、上記制御装置及び上記巻上機を更新するエレベータのリニューアル方法において、既設制御装置を上記機械室から撤去し、新規制御装置を上記機械室に設置するとともに、既設巻上機、既設トラクションシーブ及び既設主索は、上記乗かご及び上記つり合いおもりの懸垂用として流用し、上記既設巻上機よりも形状寸法の小さい新規小型巻上機を上記機械室に配置し、上記新規小型巻上機、及び上記乗かごと上記つり合いおもりを連結する新規主索を駆動用として用い、上記１：１ローピングを維持させたことを特徴としている。
【０００７】
このようにしてリニューアルを行なう本発明は、既設制御装置、既設巻上機、既設トラクションシーブ及び既設主索のうち撤去するものは既設制御装置だけであり、既設巻上機、既設トラクションシーブ及び既設主索は、リニューアル後も乗かご及びつり合いおもりの懸垂用として流用し活用することができる。また、１：１ローピングを維持できるので、比較的短い工期でリニューアルすることができる。また、この工期の短縮に伴って安価にリニューアルすることができる。さらに、既設巻上機、既設トラクションシーブ及び既設主索を懸垂用として流用したため、新規小型巻上機に懸垂荷重をもたせることなく小型化を図ることができ、この点でも安価なリニューアルの実現に貢献する。
【０００８】
また、本発明に係るエレベータのリニューアル方法は、上記発明において、上記新規主索は、上記既設主索に対して上記既設巻上機の軸方向に多少ずらした位置に設けることを特徴としている。
【０００９】
また、本発明に係るエレベータのリニューアル方法は、上記発明において、上記新規小型巻上機は、上記既設巻上機のベース上に取り付けることを特徴としている。
【００１０】
また、本発明に係るエレベータのリニューアル方法は、上記発明において、上記既設巻上機のブレーキを流用し、ブレーキを二重化したことを特徴としている。
【発明の効果】
【００１１】
本発明は、既設制御装置を機械室から撤去し、新規制御装置を機械室に設置するとともに、既設巻上機、既設トラクションシーブ及び既設主索は、乗かご及びつり合いおもりの懸垂用として流用し、既設巻上機よりも形状寸法の小さい新規小型巻上機を機械室に配置し、この新規小型巻上機、及び乗りかごとつり合いおもりに連結される新規主索を駆動用として用い、１：１ローピングを維持させたことから、既設の設置品である既設巻上機、既設トラクションシーブ及び既設主索を流用し、比較的短い工期で、かつ安価にリニューアルすることができる。さらに、既設巻上機、既設トラクションシーブ及び既設主索を乗かごとつり合いおもりの懸垂用として流用したため、新規小型巻上機に懸垂荷重をもたせることなく小型化を図ることができ、この点でも安価なリニューアルの実現に貢献する。これらにより、従来に比べてエレベータの乗客に対する利便性を向上させることができるとともに、優れた実用性を確保できる。
【図面の簡単な説明】
【００１２】
【図１】本発明に係るエレベータのリニューアル方法の一実施形態における、リニューアル後のエレベータを示す縦断面図である。
【図２】本発明に係るエレベータのリニューアル方法の一実施形態における、リニューアル後のエレベータの機械室を示す平面図である。
【図３】本発明に係るエレベータのリニューアル方法の他の実施形態における、リニューアル後のエレベータの機械室を示す平面図である。
【図４】リニューアル前のエレベータを示す縦断面図である。
【発明を実施するための形態】
【００１３】
以下、本発明に係るエレベータのリニューアル方法の実施の形態を図に基づいて説明する。
【００１４】
図４はリニューアル前のエレベータを示す縦断面図である。この図４に示すように、リニューアル前のエレベータは、昇降路２内に配置された乗かご６のクロスヘッド７と、つり合いおもり８のロープエンド部９を主索３０で連結して１：１ローピングを形成し、昇降路２の上部の機械室１内に設置した巻上機ベースすなわち既設巻上機ベース１５の上に、巻上機すなわち既設巻上機１８を配置し、トラクションシーブすなわち既設トラクションシーブ１９とブレーキすなわち既設ブレーキ２０を、制御装置すなわち既設制御装置２２で制御しながら、乗かご６を上下方向に走行させ、あるいは停止させる構成となっている。
【００１５】
図１は本発明に係るエレベータのリニューアル方法の一実施形態における、リニューアル後のエレベータを示す縦断面図、図２は本発明に係るエレベータのリニューアル方法の一実施形態における、リニューアル後のエレベータの機械室を示す平面図である。
【００１６】
図４に示したエレベータのリニューアルに際して、本実施形態では、既設制御装置２２、既設巻上機１８、既設トラクションシーブ１９、既設ブレーキ２０及び既設主索３０のうちの既設制御装置２２のみを撤去し、既設ブレーキ２０を無効にする処理を行なう。この状態において、既設巻上機１８よりも形状寸法の小さい新規小型巻上機１０及びそらせ車１１ａ，１１ｂを、既設巻上機ベース１５の上方の、既設トラクションシーブ１９の軸方向に既設主索３０に対して多少ずらした位置にそれぞれ取り付ける。次に、乗かご６側のクロスヘッド７、及びつり合いおもり８側のロープエンド部９に新規主索５を連結できるように加工する処理を行ない、新規主索５を新規小型巻上機１０及びそらせ車１１に巻き掛けた後、この新規主索５を乗かご６側のクロスヘッド７と、つり合いおもり８側のロープエンド部９とに連結する。次に新規制御装置１２を機械室１に設置し、この新規制御装置１２と新規小型巻上機１０とをケーブル１４で配線する。これによってエレベータのリニューアルが完了する。
【００１７】
なお、上述した主索５は、断面が円形状のものでもよく、また全体がベルト形状となっているものでもよい。要するに、巻き付け径が小さくとも十分な駆動力を確保し得るものであればよい。また、図２においては新規小型巻上機１０を薄型のもので例示させてあるが、既設機器の空隙に設置可能な形状寸法であれば、胴長形状の新規小型巻上機１０を取り付けるようにしてもよい。
【００１８】
このように構成した本実施形態によれば、既設制御装置２２、既設巻上機１８、既設トラクションシーブ１９、既設ブレーキ２０、及び既設主索３０のうち撤去するものは既設制御装置２２だけであり、既設巻上機１８、既設トラクションシーブ１９及び既設主索３０は、リニューアル後も乗かご６とつり合いおもり８の懸垂用として流用し活用することができる。また、１：１ローピングを維持できるので、比較的短い工期でリニューアルすることができる。また、この工期の短縮に伴って安価にリニューアルすることができる。さらに、既設巻上機１８、既設トラクションシーブ１９及び既設主索３０を懸垂用として流用したため、新規小型巻上機１０に懸垂荷重をもたせることなく小型化を図ることができ、この点でも安価なリニューアルの実現に貢献する。これらにより、エレベータの乗客に対する利便性を向上させることができるとともに、優れた実用性を確保できる。
【００１９】
また、乗かご６側のクロスヘッド７と、つり合いおもり８側のロープエンド部９を新規主索５が連結可能なように加工するだけで、１：１ローピングを容易に実現できる。
【００２０】
また、新規主索５を既設主索３０に対してトラクションシーブ１９の軸方向に多少ずらした位置に取り付けるようにしてあることから、偏荷重の影響を抑えることができる。したがって、乗かご６をガイドする追加部品等を要することがなく、この点でも安価なリニューアルの実現に貢献する。
【００２１】
また、小型巻上機１０及びそらせ車１１ａ，１１ｂを既設巻上機ベース１５の上方に取り付けてあるので、小型巻上機１０及びそらせ車１１ａ，１１ｂを機械室１内に取り付けるための大掛かりな取り付け部材を要することがなく、この点でも安価なリニューアルの実現に貢献する。
【００２２】
図３は本発明に係るエレベータのリニューアル方法の他の実施形態における、リニューアル後のエレベータの機械室を示す平面図である。
【００２３】
前述した実施形態にあっては、既設ブレーキ２０を無効化処理したが、この図３に示す別の実施形態におけるように、既設ブレーキ２０と新規制御装置１２とをケーブル２１によって配線してもよい。なお、この図３に示す別の実施形態は、既設ブレーキ２０に関係することを除けば、図１，２に示した実施形態と同等である。
【００２４】
このように構成した別の実施形態によれば、既設ブレーキ２０と、新規巻上機１０の図示しないブレーキとの両方のブレーキを活用できるので、例えばブレーキの二重化が必要になった場合に、図示しないガイドレールや新規主索５を把持する別のブレーキ装置を取り付けるというような大掛かりな改造が不要となり、このような場合において、短工期で、かつ安価なリニューアルの実現に貢献する。
【符号の説明】
【００２５】
１    機械室
２    昇降路
５    新規主索
６    乗かご
８    つり合いおもり
１０    新規小型巻上機
１１ａ，１１ｂ  そらせ車
１２    新規制御装置
１４    ケーブル
１５    既設巻上機ベース
１８    既設巻上機
１９    既設トラクションシーブ
２０    既設ブレーキ
２１    ケーブル
２２    既設制御装置
３０    既設主索
【図１】
2010275089.tif 000003
【図２】
2010275089.tif 000004
【図３】
2010275089.tif 000005
【図４】
2010275089.tif 000006